(57)【要約】【課題】開蓋時に収納物が取り出しやすく、訴求性に優れた仕掛け付きの包装ケースを提供する。【解決手段】身箱１に対する蓋２の開閉に連動して、収納物を支持した支持部３が起伏する包装ケースにおいて、前記支持部３の両側方に、身箱１と蓋２の内面に亘る飾部４を設け、各飾部４には、内広がりで両端が一致するテーパ状の山折線４ａを外側に、谷折線４ｂを内側に配置し、この山折線４ａと谷折線４ｂの頂部間に谷折線４ｃを入れ、その延長線上に山折線４ｄを入れて、蓋２を閉じた状態で、飾部４を山折線４ａ，４ｄ及び谷折線４ｂ，４ｃに沿って折り畳んでおき、蓋２を開くと、飾部４が展開されて、両側の飾部４の間から支持部３が迫り出すようにする。【選択図】図１
2010064751.tif 000002
【特許請求の範囲】
【請求項１】
身箱(1)に対する蓋(2)の開閉又は対をなす蓋(2)の開閉に連動して、収納物を支持した支持部(3)が起伏する包装ケースにおいて、前記支持部(3)の両側方に、身箱(1)と蓋(2)又は対をなす蓋(2)の内面に亘る飾部(4)を設け、各飾部(4)には、内広がりで両端が一致するテーパ状の山折線(4a)を外側に、谷折線(4b)を内側に配置し、この山折線(4a)と谷折線(4b)の頂部間に谷折線(4c)を入れ、その延長線上に山折線(4d)を入れて、蓋(2)を閉じた状態で、飾部(4)を山折線(4a,4d)及び谷折線(4b,4c)に沿って折り畳んでおき、蓋(2)を開くと、飾部(4)が展開されて、両側の飾部(4)の間から支持部(3)が迫り出すようにしたことを特徴とする仕掛け付き包装ケース。
【発明の詳細な説明】
【技術分野】
【０００１】
この発明は、開蓋時の商品取出性及び訴求性を考慮した仕掛け付き包装ケースに関するものである。
【背景技術】
【０００２】
従来、この種の包装ケースとして、下記特許文献１には、図９に示すように、身箱５１の後部に蓋５２を開閉自在に連設し、アンプルやクレヨン等の収納物を支持したトレー状の支持部５３を、その後部の差込片５３ａで蓋５２に、前部の差込片５３ｂで身箱５１にそれぞれ係止し、差込片５３ｂを前後方向にスライド自在とすることにより、蓋５２の開閉に連動して支持部５３が起伏するようにしたものが記載されている。
【０００３】
【特許文献１】特開２００４−２６８９４６号公報
【発明の開示】
【発明が解決しようとする課題】
【０００４】
しかしながら、上記のような包装ケースでは、例えば、携帯電話機等の収納物を支持部に嵌め込むと、支持部が起立しても、収納物の取出性があまり向上せず、また、蓋を開けた際に、視覚的に与える訴求力が弱いという問題がある。
【０００５】
そこで、この発明は、開蓋時に収納物が取り出しやすく、訴求性に優れた仕掛け付きの包装ケースを提供することを課題とする。
【課題を解決するための手段】
【０００６】
上記課題を解決するため、この発明は、身箱に対する蓋の開閉又は対をなす蓋の開閉に連動して、収納物を支持した支持部が起伏する包装ケースにおいて、前記支持部の両側方に、身箱と蓋又は対をなす蓋の内面に亘る飾部を設け、各飾部には、内広がりで両端が一致するテーパ状の山折線を外側に、谷折線を内側に配置し、この山折線と谷折線の頂部間に谷折線を入れ、その延長線上に山折線を入れて、蓋を閉じた状態で、飾部を山折線及び谷折線に沿って折り畳んでおき、蓋を開くと、飾部が展開されて、両側の飾部の間から支持部が迫り出すようにしたのである。
【発明の効果】
【０００７】
この発明に係る包装ケースでは、蓋を開いた際、飾部の間から支持部と共に収納物が迫り出すので、収納物を容易に取り出すことができ、また、収納物の両側方で立体化する飾部により、視覚的に驚きを与えることができる。
【発明を実施するための最良の形態】
【０００８】
まず、この発明の第１実施形態を図１乃至図５に基づいて説明する。
【０００９】
この包装ケースは、図１及び図３に示すように、商品の携帯電話機Ｐを包装するものであり、図２に示すように、身箱１の後部に蓋２を開閉自在に連設した箱本体１１と、支持部３及び飾部４を備えた内装材１２と、身箱１の一部となる底台１３とから構成される。箱本体１１及び底台１３は、段ボールを材料とし、内装材１２は、板紙を材料とする。
【００１０】
図４に示すように、箱本体１１のブランクでは、身箱１の部分として、前壁５の両側に側壁６が連設され、一方の側壁６の外側に後壁７及び継代片８が順次連設されると共に、前壁５、一対の側壁６及び後壁７の下端に底壁９が連設されている。
【００１１】
そして、後壁７の上端から蓋２が延出され、蓋２は、基端側から蓋板２ａ及び差込片２ｂを順次設けたものとされている。
【００１２】
前壁５及び一対の側壁６は、上端で２枚繋がった二重構造とされ、前壁５の内側となる部分の先端には、内底板１０が連設されている。前壁５の上部には、封止片５ａが切込により形成され、蓋２の差込片２ｂの基端には、封止スリット２ｃが形成されている。
【００１３】
図５に示すように、内装材１２のブランクでは、蓋貼板１２ａ、後貼板１２ｂ、台貼板１２ｃ、飾部４及び蓋継板１２ｄが縦方向に順次連設され、蓋継板１２ｄの先端部分に、横長帯状の支持部３の一部分が繋がり、支持部３には、複数本の罫線が縦方向に入れられている。飾部４は、中間の切込により、左右一対に分割されている。
【００１４】
各飾部４には、内側の間隔が広がるテーパ状の山折線４ａと谷折線４ｂとが入れられ、これらは両端が一致するように外側から内側へ順次配置されている。また、この山折線４ａと谷折線４ｂの頂部間に谷折線４ｃが入れられると共に、その内側及び外側への延長線上に山折線４ｄが入れられ、これらは上下に間隔をおいて２本平行に配置されている。
【００１５】
山折線４ａは、通常の押罫とされ、谷折線４ｂは、押罫と切目とが断続するリード罫とされている。谷折線４ｃ及び山折線４ｄは、通常の押罫とされている。ここで、山折線４ａ，４ｄは、用紙の表面側が突出するように折り曲げる折目線であり、谷折線４ｂ，４ｃは、用紙の表面側が窪むように折り曲げる折目線である。
【００１６】
また、図５に示すように、底台１３のブランクでは、長方形の台板１３ａの周囲各辺に脚板１３ｂが連設されている。
【００１７】
上記のようなブランクから包装ケースを組み立てるには、図２に示すように、箱本体１１のブランクにおいて、前壁５、一対の側壁６及び後壁７を角筒状に折り曲げ、継代片８を反対側の側壁６に貼り付けて周壁を形成し、底壁９を内側水平方向へ折り曲げて底面を閉じ、底壁９に内底板１０を重ねる。
【００１８】
また、内装材１２のブランクにおいて、蓋貼板１２ａ及び後貼板１２ｂに対し、台貼板１２ｃ、飾部４及び蓋継板１２ｄを巻き込むように折り曲げて、蓋継板１２ｄを蓋貼板１２ａに貼り付ける。このとき、飾部４は、山折線４ａ，４ｄ及び谷折線４ｂ，４ｃに沿って折り曲げ、支持部３は、角筒状に組み立てる。
【００１９】
また、底台１３のブランクにおいて、台板１３ａの周囲各辺から脚板１３ｂを垂直下方へ折り曲げる。
【００２０】
そして、図１に示すように、身箱１に対して蓋２を開いた状態で、底台１３を箱本体１１の底部に挿入し、内装材１２の蓋貼板１２ａを蓋板２ａの内面に、後貼板１２ｂを後壁７の内面に、台貼板１２ｃを台板１３ａの上面にそれぞれ貼り付ける。
【００２１】
このように組み立てた包装ケースにより携帯電話機Ｐを包装するには、台板１３ａの下方に、予め充電器等や操作マニュアル等の付属品を収納しておき、携帯電話機Ｐを支持部３に挿入する。
【００２２】
そして、図３に示すように、飾部４を、山折線４ａ，４ｄ及び谷折線４ｂ，４ｃに沿って折り畳みつつ、蓋２を閉じて、差込片２ｂを前壁５の内側に差し込み、封止片５ａを屈曲させて、その先端部を封止スリット２ｃに差し込む。
【００２３】
上記のような包装ケースでは、図１に示すように、携帯電話機Ｐの購入者が蓋２を開いた際、飾部４の間から支持部３と共に携帯電話機Ｐが迫り出すので、携帯電話機Ｐを容易に取り出すことができる。
【００２４】
また、携帯電話機Ｐの両側方で立体化された飾部４により、購入者に対して視覚的に驚きを与えることができ、これから使用する携帯電話機Ｐに対する期待感を向上させることができる。
【００２５】
次に、この発明の第２実施形態を図６乃至図８に基づいて説明する。
【００２６】
この包装ケースは、図６及び図７に示すように、商品又は受渡し用のＣＤ（コンパクトディスク）等のディスク媒体Ｄを包装するものであり、対をなす蓋２を開閉自在に連設したカバー体１４と、支持部３及び飾部４を備えた内装材１５とから構成される。カバー体１４及び内装材１５は、板紙を材料とする。
【００２７】
図８に示すように、カバー体１４のブランクでは、ヒンジ部２ｄの上下にそれぞれ表蓋板２ｅ及び裏蓋板２ｆが順次連設されている。
【００２８】
内装材１５のブランクでは、飾部４の上下にそれぞれ蓋貼板１５ａ及び支持部３をなす一部切欠円板状の支持板３ａが順次連設され、飾部４は、中間の切込により、左右一対に分割されている。
【００２９】
各飾部４には、内側の間隔が広がるテーパ状の山折線４ａと谷折線４ｂとが入れられ、これらは両端が一致するように外側から内側へ順次配置されている。また、この山折線４ａと谷折線４ｂの頂部間に谷折線４ｃが入れられると共に、その内側への延長線上に山折線４ｄが入れられている。
【００３０】
山折線４ａ，４ｄは、通常の押罫とされ、谷折線４ｂ，４ｃは、押罫と切目とが断続するリード罫とされている。ここで、上述の第１実施形態と同様、山折線４ａ，４ｄは、用紙の表面側が突出するように折り曲げる折目線であり、谷折線４ｂ，４ｃは、用紙の表面側が窪むように折り曲げる折目線である。
【００３１】
上記のようなブランクから包装ケースを組み立てるには、図６に示すように、表蓋板２ｅの内面に裏蓋板２ｆを折り重ねて貼り付ける。
【００３２】
そして、対をなす蓋２を開いた状態で、飾部４及びその上下の蓋貼板１５ａを巻き込むように折り曲げて、蓋貼板１５ａを裏蓋板２ｆに貼り付ける。このとき、飾部４は、山折線４ａ，４ｄ及び谷折線４ｂ，４ｃに沿って折り曲げ、支持部３は、２枚の支持板３ａを重ね合わせて、一対の飾部４の間から前方へ突出させる。
【００３３】
このように組み立てた包装ケースによりディスク媒体Ｄを包装するには、ディスク媒体Ｄを支持部３の２枚の支持板３ａの間に挿入し、図７に示すように、飾部４を、山折線４ａ，４ｄ及び谷折線４ｂ，４ｃに沿って折り畳みつつ、蓋２を閉じる。
【００３４】
上記のような包装ケースでは、図６に示すように、ディスク媒体Ｄの購入者や受取人が蓋２を開いた際、飾部４の間から支持部３と共にディスク媒体Ｄが迫り出すので、ディスク媒体Ｄを容易に取り出すことができる。
【００３５】
また、ディスク媒体Ｄの両側方で立体化された飾部４により、購入者や受取人に対して視覚的に驚きを与えることができ、ディスク媒体Ｄに記録された内容に対する期待感を向上させることができる。
【図面の簡単な説明】
【００３６】
【図１】この発明の第１実施形態に係る包装ケースの開蓋状態を示す斜視図
【図２】同上の分解斜視図
【図３】同上の閉蓋状態を示す斜視図
【図４】同上の箱本体のブランクを示す図
【図５】同上の内装材及び底台のブランクを示す図
【図６】この発明の第２実施形態に係る包装ケースの開蓋状態を示す斜視図
【図７】同上の閉蓋状態を示す斜視図
【図８】同上のカバー体及び内装材のブランクを示す図
【図９】従来の仕掛け付き包装ケースの開蓋状態を示す斜視図
【符号の説明】
【００３７】
１  身箱
２  蓋
２ａ  蓋板
２ｂ  差込片
２ｃ  封止スリット
２ｄ  ヒンジ部
２ｅ  表蓋板
２ｆ  裏蓋板
３  支持部
３ａ  支持板
４  飾部
４ａ，４ｄ  山折線
４ｂ、４ｃ  谷折線
５  前壁
５ａ  封止片
６  側壁
７  後壁
８  継代片
９  底壁
１０  内底板
１１  箱本体
１２  内装材
１２ａ  蓋貼板
１２ｂ  後貼板
１２ｃ  台貼板
１２ｄ  蓋継板
１３  底台
１３ａ  台板
１３ｂ  脚板
１４  カバー体
１５  内装材
１５ａ  蓋貼板
Ｐ  携帯電話機
Ｄ  ディスク媒体
【図１】
2010064751.tif 000003
【図２】
2010064751.tif 000004
【図３】
2010064751.tif 000005
【図４】
2010064751.tif 000006
【図５】
2010064751.tif 000007
【図６】
2010064751.tif 000008
【図７】
2010064751.tif 000009
【図８】
2010064751.tif 000010
【図９】
2010064751.tif 000011